(57)【要約】【課題】ＲＦＩＤタグを利用して、ネットワーク対応画像形成装置に種々の有用な機能を備えることができる、ネットワークシステムおよびネットワーク対応画像形成装置を提供することを目的としている。【解決手段】ユーザが携帯しているＲＦＩＤタグに応じて、ユーザのログアウト、メンテナンスモードへの移行、操作表示手段のロック、給紙カセットのロック、外装カバーのロック、および、認証エラーを行うようにしているので、ネットワーク対応画像形成装置の使い勝手を大幅に向上できるとともに、ネットワーク対応画像形成装置に対する悪意の行為を防止することができるという効果を得る。【選択図】        図１
2006165616.tif 000002
【特許請求の範囲】
【請求項１】
ユーザが機器操作を行うための操作表示手段、および、ネットワークへ接続して他の端末装置とデータをやりとりするデータ通信手段を備えるとともに、用紙を画像形成手段へ供給するための給紙カセットが着脱自在に取り付けられ、前記画像形成手段が作像時に消費する作像用消耗材が筺体内に収容され、ユーザの機器使用時にはログイン手続を要求するとともに、設定によりメンテナンスモードへ移行するネットワーク対応画像形成装置、および、前記ネットワーク対応画像形成装置とネットワークを介して接続されるＲＦＩＤ情報解析サーバ装置からなるネットワークシステムにおいて、
前記ネットワーク対応画像形成装置は、ＲＦＩＤタグが出力する信号を受信して解析するＲＦＩＤ受信制御手段を備え、前記ＲＦＩＤ受信制御手段がＲＦＩＤタグよりＩＤを受信すると、前記データ通信手段を用いて、所定のサーバ装置へ、その受信ＩＤに対応した機器機能を取得要求し、当該サーバ装置より取得した機器機能がログアウトをあらわすものである場合には、その時点でログインしているユーザをログアウトさせ、前記サーバ装置より取得した機器機能がメンテナンスモード移行である場合には、その時点でメンテナンスモードへ移行し、前記サーバ装置より取得した機器機能が操作パネルロックである場合には、その時点でユーザによる前記操作表示手段の操作を禁止し、前記サーバ装置より取得した機器機能が給紙カセットロックである場合には、その時点で前記給紙カセットの取り外しを禁止し、前記サーバ装置より取得した機器機能が外装カバーロックである場合には、その時点で機器の外装カバーをロックし、前記サーバ装置より取得した機器機能が複数ＩＤ検出である場合には、その時点で認証エラーを表示して、認証エラー状態へ移行する一方、
前記ＲＦＩＤ情報解析サーバ装置は、ＲＦＩＤタグに記憶されるＩＤと、当該ＩＤに対応して設定されている機器機能情報とを記憶した記憶手段を備え、いずれかの端末装置よりＩＤに対応した機器機能の取得が要求された場合には、前記記憶手段の記憶内容を参照して、受信ＩＤに対応した機器機能を読み出し、その読み出した機器機能を、前記端末装置へ応答するようにしたことを特徴とするネットワークシステム。
【請求項２】
ユーザが機器操作を行うための操作表示手段、および、ネットワークへ接続して他の端末装置とデータをやりとりするデータ通信手段を備えるとともに、用紙を画像形成手段へ供給するための給紙カセットが着脱自在に取り付けられ、前記画像形成手段が作像時に消費する作像用消耗材が筺体内に収容され、ユーザの機器使用時にはログイン手続を要求するとともに、設定によりメンテナンスモードへ移行するネットワーク対応画像形成装置において、
ＲＦＩＤタグが出力する信号を受信して解析するＲＦＩＤ受信制御手段を備え、
前記ＲＦＩＤ受信制御手段がＲＦＩＤタグよりＩＤを受信すると、前記データ通信手段を用いて、所定のサーバ装置へ、その受信ＩＤに対応した機器機能を取得要求し、
当該サーバ装置より取得した機器機能がログアウトをあらわすものである場合には、その時点でログインしているユーザをログアウトさせ、
前記サーバ装置より取得した機器機能がメンテナンスモード移行である場合には、その時点でメンテナンスモードへ移行し、
前記サーバ装置より取得した機器機能が操作パネルロックである場合には、その時点でユーザによる前記操作表示手段の操作を禁止し、
前記サーバ装置より取得した機器機能が給紙カセットロックである場合には、その時点で前記給紙カセットの取り外しを禁止し、
前記サーバ装置より取得した機器機能が外装カバーロックである場合には、その時点で機器の外装カバーをロックし、
前記サーバ装置より取得した機器機能が複数ＩＤ検出である場合には、その時点で認証エラーを表示して、認証エラー状態へ移行することを特徴とするネットワーク対応画像形成装置。
【発明の詳細な説明】
【技術分野】
【０００１】
本発明は、ユーザが機器操作を行うための操作表示手段、および、ネットワークへ接続して他の端末装置とデータをやりとりするデータ通信手段を備えるとともに、用紙を画像形成手段へ供給するための給紙カセットが着脱自在に取り付けられ、前記画像形成手段が作像時に消費する作像用消耗材が筺体内に収容され、ユーザの機器使用時にはログイン手続を要求するとともに、設定によりメンテナンスモードへ移行するネットワーク対応画像形成装置、および、前記ネットワーク対応画像形成装置とネットワークを介して接続されるＲＦＩＤ情報解析サーバ装置からなるネットワークシステム、および、当該ネットワークシステムに適用可能なネットワーク対応画像形成装置に関する。
【背景技術】
【０００２】
従来、ネットワークを介して印刷ジョブを受け付けるネットワークプリンタ、ネットワークを介してファクシミリ通信する機能を有するネットワーク対応ファクシミリ装置、ネットワークプリンタ、ネットワーク対応ファクシミリ装置、あるいは、複写機の機能を統合して備えたネットワーク対応複合機などのネットワーク対応画像形成装置では、利用可能なユーザを制限する必要がある場合には、ユーザ認証を行って、登録されたユーザ以外の使用を禁止するようにしていた。
【０００３】
このようなユーザ認証をユーザに要求する場合、通常は、操作表示手段に設けられた操作キーを操作したり、ユーザカードをカードスロットに通してユーザ情報を入力するなどの操作が必要であった。
【０００４】
一方、近年、ＲＦＩＤ（Ｒａｄｉｏ  Ｆｒｅｑｕｅｎｃｙ  ＩＤ）タグを利用したＩＣカードが実用されており、このＩＣカード（ＲＦＩＤタグ）を用いた認証を行うことで、認証時のユーザ情報の入力の手間を省くことができるようにしたものが提案されている（特許文献１参照）。
【０００５】
なお、ＲＦＩＤタグ関係の技術については、例えば、http://itpro.nikkeibp.co.jp/rfid/などを参照のこと（２００４年１１月３０日アクセス可能）。
【特許文献１】特開２００２−１５７０４０
【発明の開示】
【発明が解決しようとする課題】
【０００６】
本発明は、ＲＦＩＤタグを利用して、ネットワーク対応画像形成装置に種々の有用な機能を備えることができる、ネットワークシステムおよびネットワーク対応画像形成装置を提供することを目的としている。
【課題を解決するための手段】
【０００７】
本発明は、ユーザが機器操作を行うための操作表示手段、および、ネットワークへ接続して他の端末装置とデータをやりとりするデータ通信手段を備えるとともに、用紙を画像形成手段へ供給するための給紙カセットが着脱自在に取り付けられ、前記画像形成手段が作像時に消費する作像用消耗材が筺体内に収容され、ユーザの機器使用時にはログイン手続を要求するとともに、設定によりメンテナンスモードへ移行するネットワーク対応画像形成装置、および、前記ネットワーク対応画像形成装置とネットワークを介して接続されるＲＦＩＤ情報解析サーバ装置からなるネットワークシステムにおいて、前記ネットワーク対応画像形成装置は、ＲＦＩＤタグが出力する信号を受信して解析するＲＦＩＤ受信制御手段を備え、前記ＲＦＩＤ受信制御手段がＲＦＩＤタグよりＩＤを受信すると、前記データ通信手段を用いて、所定のサーバ装置へ、その受信ＩＤに対応した機器機能を取得要求し、当該サーバ装置より取得した機器機能がログアウトをあらわすものである場合には、その時点でログインしているユーザをログアウトさせ、前記サーバ装置より取得した機器機能がメンテナンスモード移行である場合には、その時点でメンテナンスモードへ移行し、前記サーバ装置より取得した機器機能が操作パネルロックである場合には、その時点でユーザによる前記操作表示手段の操作を禁止し、前記サーバ装置より取得した機器機能が給紙カセットロックである場合には、その時点で前記給紙カセットの取り外しを禁止し、前記サーバ装置より取得した機器機能が外装カバーロックである場合には、その時点で機器の外装カバーをロックし、前記サーバ装置より取得した機器機能が複数ＩＤ検出である場合には、その時点で認証エラーを表示して、認証エラー状態へ移行する一方、前記ＲＦＩＤ情報解析サーバ装置は、ＲＦＩＤタグに記憶されるＩＤと、当該ＩＤに対応して設定されている機器機能情報とを記憶した記憶手段を備え、いずれかの端末装置よりＩＤに対応した機器機能の取得が要求された場合には、前記記憶手段の記憶内容を参照して、受信ＩＤに対応した機器機能を読み出し、その読み出した機器機能を、前記端末装置へ応答するようにしたものである。
【０００８】
また、ユーザが機器操作を行うための操作表示手段、および、ネットワークへ接続して他の端末装置とデータをやりとりするデータ通信手段を備えるとともに、用紙を画像形成手段へ供給するための給紙カセットが着脱自在に取り付けられ、前記画像形成手段が作像時に消費する作像用消耗材が筺体内に収容され、ユーザの機器使用時にはログイン手続を要求するとともに、設定によりメンテナンスモードへ移行するネットワーク対応画像形成装置において、ＲＦＩＤタグが出力する信号を受信して解析するＲＦＩＤ受信制御手段を備え、前記ＲＦＩＤ受信制御手段がＲＦＩＤタグよりＩＤを受信すると、前記データ通信手段を用いて、所定のサーバ装置へ、その受信ＩＤに対応した機器機能を取得要求し、当該サーバ装置より取得した機器機能がログアウトをあらわすものである場合には、その時点でログインしているユーザをログアウトさせ、前記サーバ装置より取得した機器機能がメンテナンスモード移行である場合には、その時点でメンテナンスモードへ移行し、前記サーバ装置より取得した機器機能が操作パネルロックである場合には、その時点でユーザによる前記操作表示手段の操作を禁止し、前記サーバ装置より取得した機器機能が外装カバーロックである場合には、その時点で機器の外装カバーをロックし、前記サーバ装置より取得した機器機能が給紙カセットロックである場合には、その時点で前記給紙カセットの取り外しを禁止し、前記サーバ装置より取得した機器機能が複数ＩＤ検出である場合には、その時点で認証エラーを表示して、認証エラー状態へ移行するようにしたものである。
【発明の効果】
【０００９】
したがって、本発明によれば、ユーザが携帯しているＲＦＩＤタグに応じて、ユーザのログアウト、メンテナンスモードへの移行、操作表示手段のロック、給紙カセットのロック、外装カバーのロック、および、認証エラーを行うようにしているので、ネットワーク対応画像形成装置の使い勝手を大幅に向上できるとともに、ネットワーク対応画像形成装置に対する悪意の行為を防止することができるという効果を得る。
【発明を実施するための最良の形態】
【００１０】
以下、添付図面を参照しながら、本発明の実施の形態を詳細に説明する。
【００１１】
図１は、本発明の一実施例にかかるネットワークシステムの一例を示している。
【００１２】
同図において、このネットワークシステムは、アナログ公衆網ＰＳＴＮおよびインターネットＩＮＥＴに接続されたネットワーク複合機ＦＸ、および、インターネットＩＮＥＴに接続されたＲＦＩＤ情報解析サーバ装置ＳＶから構成されている。
【００１３】
ネットワーク複合機ＦＸは、アナログ公衆網ＰＳＴＮを介してグループ３ファクシミリ装置とファクシミリ通信を行うファクシミリ通信機能、インターネットＩＮＥＴを介して所定のネットワークファクシミリ通信を行うネットワークファクシミリ通信機能、および、複写機能、原稿を読み取り、それによって得た画情報をインターネットＩＮＥＴを介して他の端末装置へ電子メールを用いて送信するスキャン・ツー・イーメール機能などの種々の装置機能を備えている。
【００１４】
ＲＦＩＤ情報解析サーバ装置ＳＶは、ＲＦＩＤタグに記憶されるＩＤに対応して、当該ＩＤに設定された機器機能を登録したデータベース手段を備え、インターネットＩＮＥＴを介してネットワーク複合機ＦＸよりＩＤタグに対応した機器機能の情報取得が要求された場合、前記データベース手段より受信したＩＤタグに対応した機器機能の情報を取り出し、当該取り出した情報を、取得要求元のネットワーク複合機ＦＸへ応答するものである。
【００１５】
図２は、ネットワーク複合機ＦＸの構成の一例を示している。
【００１６】
同図において、システム制御部１は、このネットワーク複合機ＦＸの各部の制御処理、および、ファクシミリ伝送制御手順処理などの各種制御処理を行うものであり、システムメモリ２は、システム制御部１が実行する制御処理プログラム、および、処理プログラムを実行するときに必要な各種データなどを記憶するとともに、システム制御部１のワークエリアを構成するものであり、パラメータメモリ３は、このネットワーク複合機ＦＸに固有な各種の情報を記憶するためのものであり、時計回路４は、現在時刻情報を出力するものである。
【００１７】
スキャナ５は、所定の解像度で原稿画像を読み取るためのものであり、プロッタ６は、所定の解像度で画像を記録出力するためのものであり、電子写真プロセスを用いて作像する作像エンジンを備えている。また、このプロッタ６への用紙の給紙は、図示しない給紙カセットを用いて行われるとともに、作像系に必要な消耗材となるトナーを供給するために、外装カバーが開閉可能に設けられている。また、給紙カセットは、装着された状態から取り外せないように固定するための給紙カセットロック機構（図示略）が設けられている。また、外装カバーには、閉じた状態から開くことができないように固定するための外装カバーロック機構（図示略）が設けられている。
【００１８】
操作表示部７は、このネットワーク複合機ＦＸを操作するためのもので、各種の操作キー、および、各種の表示器からなる。また、このネットワーク複合機ＦＸには、操作表示部７の操作キー等を操作できないようにするための操作パネルロック機能が設けられている。
【００１９】
符号化復号化部８は、画信号を符号化圧縮するとともに、符号化圧縮されている画情報を元の画信号に復号化するためのものであり、画像蓄積装置９は、符号化圧縮された状態の画情報を多数記憶するためのものである。
【００２０】
グループ３ファクシミリモデム１０は、グループ３ファクシミリのモデム機能を実現するためのものであり、伝送手順信号をやりとりするための低速モデム機能（Ｖ．２１モデム）、および、おもに画情報をやりとりするための高速モデム機能（Ｖ．１７モデム、Ｖ．３４モデム、Ｖ．２９モデム、Ｖ．２７ｔｅｒモデムなど）を備えている。
【００２１】
網制御装置１１は、このネットワーク複合機ＦＸをアナログ公衆回線網ＰＳＴＮに接続するためのものであり、自動発着信機能を備えている。
【００２２】
インターネットインターフェース回路１２は、このネットワーク複合機ＦＸをインターネットＩＮＥＴに接続するためのものであり、インターネット伝送制御部１３は、インターネットＩＮＥＴを介して、他のデータ端末装置との間で種々のデータをやりとりするための各種所定のプロトコルスイートの通信制御処理を実行するためのものである。
【００２３】
ＲＦＩＤ受信制御部１４は、アンテナ１５を介して、図示しないＲＦＩＤタグとの間で交信し、ＲＦＩＤタグからＩＤを受信するためのものである。
【００２４】
これらの、システム制御部１、システムメモリ２、パラメータメモリ３、時計回路４、スキャナ５、プロッタ６、操作表示部７、符号化復号化部８、画像蓄積装置９、グループ３ファクシミリモデム１０、網制御装置１１、ローカルエリアネットワーク伝送制御部１３、および、ＲＦＩＤ受信制御部１４は、内部バス１６に接続されており、これらの各要素間でのデータのやりとりは、主としてこの内部バス１６を介して行われている。
【００２５】
また、網制御装置１１とグループ３ファクシミリモデム１０との間のデータのやりとりは、直接行なわれている。
【００２６】
図３は、ＲＦＩＤ情報解析サーバ装置ＳＶの構成例を示している。
【００２７】
同図において、ＣＰＵ（中央処理装置）２１は、このＲＦＩＤ情報解析サーバ装置ＳＶの動作制御を行うものであり、ＲＯＭ（リード・オンリ・メモリ）２２は、ＣＰＵ２１が起動時に実行するプログラムや必要なデータ等を記憶するためのものであり、ＲＡＭ（ランダム・アクセス・メモリ）２３は、ＣＰＵ２１のワークエリア等を構成するためのものである。
【００２８】
キャラクタジェネレータ２４は、図形文字の表示データを発生するためのものであり、時計回路２５は、現在日時情報を出力するためのものであり、インターネットインターフェース回路２６は、このＲＦＩＤ情報解析サーバ装置ＳＶをインターネットＩＮＥＴに接続するためのものであり、インターネット伝送制御部１３は、インターネットＩＮＥＴを介して、他のデータ端末装置との間で種々のデータをやりとりするための各種所定のプロトコルスイートの通信制御処理を実行するためのものである。
【００２９】
磁気ディスク装置２８は、種々のアプリケーションプログラム、ワークデータ、ファイルデータ、画情報データなどの種々のデータを記憶するためのものであり、上述したデータベース手段は、この磁気ディスク装置２８に構成される。
【００３０】
ＣＲＴ画面表示装置２９は、このＲＦＩＤ情報解析サーバ装置ＳＶを操作するための画面を表示するためのものであり、表示制御部３０は、ＣＲＴ画面表示装置２９の表示内容を制御するためのものである。
【００３１】
キーボード装置３１は、このＲＦＩＤ情報解析サーバ装置ＳＶに種々のキー操作を行うためのものであり、画面指示装置３２は、ＣＲＴ画面表示装置２９の任意の点を指示する等の操作作業を行うためのものであり、入力制御部３３は、キーボード装置３１および画面指示装置３２の入力情報を取り込む等するためのものである。
【００３２】
これらのＣＰＵ２１、ＲＯＭ２２、ＲＡＭ２３、キャラクタジェネレータ２４、時計回路２５、インターネット伝送制御部２７、磁気ディスク装置２８、表示制御部３０、および、入力制御部３３は、バス３４に接続されており、これらの各要素間のデータのやりとりは、主としてこのバス３４を介して行われる。
【００３３】
ここで、本実施例において、基本的には、ローカルエリアネットワークＬＡＮに接続されている端末相互間でのデータのやりとりは、いわゆるＴＣＰ／ＩＰと呼ばれるトランスポートレイヤまでの伝送プロトコルと、それ以上の上位レイヤの通信プロトコルとの組み合わせ（いわゆるプロトコルスイート）が適用して行われる。例えば、ネットワーク複合機ＦＸとＲＦＩＤ情報解析サーバ装置ＳＶとの間のデータのやりとりは、下位プロトコルとしてはＨＴＴＰ（ＨｙｐｅｒＴｅｘｔ  Ｔｒａｎｓｆｅｒ  Ｐｒｏｔｏｃｏｌ）が適用され、また、上位プロトコルとしてはＳＯＡＰ（Ｓｉｍｐｌｅ  Ｏｂｊｅｃｔ  Ａｃｃｅｓｓ  Ｐｒｏｔｏｃｏｌ）が適用されて行われる。
【００３４】
図４は、ネットワーク複合機ＦＸとＲＦＩＤ情報解析サーバ装置ＳＶとの間の通信の一例を示している。
【００３５】
まず、ネットワーク複合機ＦＸは、ＲＦＩＤ情報解析サーバ装置ＳＶに対して、セッション開始を要求すると、ＲＦＩＤ情報解析サーバ装置ＳＶは、セッションの受付を行うとともにそのときの通信に使用するセッションＩＤを決定して、ネットワーク複合機ＦＸへ通知する。
【００３６】
次いで、ネットワーク複合機ＦＸは、ＲＦＩＤタグより受信したＩＤに対応した機器機能情報を取得要求するためのリクエスト（Ｗｅｂサービス）を、ＲＦＩＤ情報解析サーバ装置ＳＶへ送信する。
【００３７】
ＲＦＩＤ情報解析サーバ装置ＳＶは、受信したリクエスト（Ｗｅｂサービス）で通知されたＩＤタグについて、磁気ディスク装置２８に構築されたデータベース手段を参照し、対応する機器機能情報を取得する。そして、その取得した機器機能情報を通知するためのレスポンス（Ｗｅｂサービス）を、ネットワーク複合機ＦＸへ通知する。
【００３８】
このレスポンス（Ｗｅｂサービス）を受信したネットワーク複合機ＦＸは、セッションの終了をＲＦＩＤ情報解析サーバ装置ＳＶへ通知し、一連の通信を終了する。
【００３９】
ここで、本実施例では、図５に示すように、機器機能情報をあらわす機能ＩＤが設定されている。また、それぞれの機能ＩＤに対応したネットワーク複合機ＦＸの実行すべき処理の内容が定められている。
【００４０】
ＲＦＩＤ情報解析サーバ装置ＳＶに構築されているデータベース手段には、それぞれのＩＤについて、対応する機能ＩＤが登録された内容とすることができる。
【００４１】
すなわち、機能ＩＤの「Ｅｘｅｃ＿Ｌｏｇｏｕｔ」には「ログアウトする」という実行処理内容が設定され、機能ＩＤの「Ｅｘｅｃ＿Ｍａｉｎｔｅｎａｎｃｅ＿ｍｏｄｅ」には「メンテナンスモードへ画面遷移」という実行内容が設定され、機能ＩＤの「Ｅｘｅｃ＿Ｐａｎｅｌ＿ｌｏｃｋ」には「操作パネルをロックする」という実行処理内容が設定され、機能ＩＤの「Ｅｘｅｃ＿Ｃａｓｓｅｔｔｅ＿ｌｏｃｋ」には「給紙カセットをロックする」という実行内容が設定され、機能ＩＤの「Ｅｘｅｃ＿Ｃｏｖｅｒ＿ｌｏｃｋ」には「機器の外装カバーをロックする」という実行処理内容が設定され、機能ＩＤの「ＥｒｒＤｉｓｐ＿Ｍｕｌｔｉｐｌｅ＿ｒｆｉｄ」には「ＲＦＩＤ重複エラーを表示する」という実行内容が設定されている。
【００４２】
例えば、ネットワーク複合機ＦＸがＲＦＩＤ受信制御部１４により、ＲＦＩＤタグより「１１１１１１１１１１」というＩＤタグを受信したとき、ネットワーク複合機ＦＸは、図６（ａ）に示すような「リクエスト（Ｗｅｂサービス）」をＲＦＩＤ情報解析サーバ装置ＳＶへ送信したする。
【００４３】
したがって、ＲＦＩＤ情報解析サーバ装置ＳＶは、データベース手段を検索して、受信したＩＤ「１１１１１１１１１１」に対応した「Ｅｘｅｃ＿Ｌｏｇｏｕｔ」を得たとすると、ＲＦＩＤ情報解析サーバ装置ＳＶは、同図（ｂ）に示すような「レスポンス（Ｗｅｂサービス）」をネットワーク複合機ＦＸへ応答する。
【００４４】
これにより、ネットワーク複合機ＦＸは、その時点でログインしているユーザをログアウト状態に設定する。これにより、それ以降、当該ユーザは、ネットワーク複合機ＦＸを使用できなくなる。
【００４５】
また、ネットワーク複合機ＦＸがＲＦＩＤ受信制御部１４の受信サイクルで２つのＩＤ「２２２２２２２２２２」と「３３３３３３３３３３」を受信した場合、図７（ａ）に示すような「リクエスト（Ｗｅｂサービス）」をＲＦＩＤ情報解析サーバ装置ＳＶへ送信する。
【００４６】
この場合、ＲＦＩＤ情報解析サーバ装置ＳＶは、２つ以上のＩＤを受信したので、「ＥｒｒＤｉｓｐ＿Ｍｕｌｔｉｐｌｅ＿ｒｆｉｄ」であると認識し、同図（ｂ）に示すような「レスポンス（Ｗｅｂサービス）」をネットワーク複合機ＦＸへ応答する。
【００４７】
これにより、ネットワーク複合機ＦＸは、「ＲＦＩＤ重複エラー」を表示して、その時点で、ユーザ操作を禁止する。
【００４８】
ここで、ＲＦＩＤタグは、例えば、ユーザが所持するＩＣカードに備えられているものである。
【００４９】
一方、「ログアウトする」および「操作パネルをロックする」という実行内容は、いずれもネットワーク複合機ＦＸの利用を禁止する内容であり、また、「給紙カセットをロックする」および「機器の外装カバーをロックする」という実行内容は、ネットワーク複合機ＦＸに装備されている用紙やトナーを取り外す行為を禁止するという内容である。
【００５０】
また、「メンテナンスモードへ画面遷移」という実行内容は、ユーザにメンテナンスを要求するもの、また、「ＲＦＩＤ重複エラーを表示する」という実行内容は、複数のＩＤを受信して、認証が正常に機能しない旨を通知するものである。
【００５１】
したがって、ＲＦＩＤ情報解析サーバ装置ＳＶのデータベース手段の内容としては、機能ＩＤの「Ｅｘｅｃ＿Ｌｏｇｏｕｔ」または「Ｅｘｅｃ＿Ｐａｎｅｌ＿ｌｏｃｋ」には、ネットワーク複合機ＦＸの利用を禁止する一人又は複数のユーザに対応したＩＤが登録される。
【００５２】
また、機能ＩＤの「Ｅｘｅｃ＿Ｃａｓｓｅｔｔｅ＿ｌｏｃｋ」には、ネットワーク複合機ＦＸの給紙カセットの取り外しを禁止するユーザに対応したＩＤが登録され、また、機能ＩＤの「Ｅｘｅｃ＿Ｃｏｖｅｒ＿ｌｏｃｋ」には、ネットワーク複合機ＦＸの外装カバーの開放を禁止する一人又は複数のユーザに対応したＩＤが登録される。
【００５３】
また、機能ＩＤの「Ｅｘｅｃ＿Ｍａｉｎｔｅｎａｎｃｅ＿ｍｏｄｅ」には、メンテナンス作業を行うユーザに対応した一人又は複数のＩＤが登録される。
【００５４】
なお、機能ＩＤの「ＥｒｒＤｉｓｐ＿Ｍｕｌｔｉｐｌｅ＿ｒｆｉｄ」は、例外的なものであり、２つ以上のＩＤを受信した場合に通知されるものである。
【００５５】
図８および図９は、ＲＦＩＤタグのＩＤタグを受信した際のネットワーク複合機ＦＸの処理の一例を示している。
【００５６】
ＲＦＩＤ受信制御部１４がＲＦＩＤタグのＩＤタグを受信すると（判断１０１の結果がＹＥＳ）、受信したＩＤを保存し（処理１０２）、ＲＦＩＤ情報解析サーバ装置ＳＶに接続し、受信ＩＤに対応した機器機能情報を取得するためのコマンド（Ｗｅｂサービス）を送信し、ＲＦＩＤ情報解析サーバ装置ＳＶから受信したレスポンス（Ｗｅｂサービス）に基づいて、機能ＩＤを得る（処理１０３）。
【００５７】
そして、受信した機能ＩＤの内容を調べ（処理１０４）、それが「Ｅｘｅｃ＿Ｌｏｇｏｕｔ」であるかどうかを調べる（判断１０５）。判断１０５の結果がＹＥＳになるときには、ログアウト処理を実行する（処理１０６）。
【００５８】
また、判断１０５の結果がＮＯになるときには、受信した機能ＩＤの内容が「Ｅｘｅｃ＿Ｍａｉｎｔｅｎａｎｃｅ＿ｍｏｄｅ」であるかどうかを調べる（判断１０７）。判断１０７の結果がＹＥＳになるときには、操作表示部７の表示画面をメンテナンスモードへ画面遷移し（処理１０８）、所定のメンテナンスモード処理を実行する（処理１０９）。
【００５９】
また、判断１０７の結果がＮＯになるときには、受信した機能ＩＤの内容が「Ｅｘｅｃ＿Ｐａｎｅｌ＿ｌｏｃｋ」であるかどうかを調べる（判断１１０）。判断１１０の結果がＹＥＳになるときには、操作表示部７の操作を禁止する（操作パネルロック：処理１１１）。
【００６０】
また、判断１１０の結果がＮＯになるときには、受信した機能ＩＤの内容が「Ｅｘｅｃ＿Ｃａｓｓｅｔｔｅ＿ｌｏｃｋ」であるかどうかを調べる（判断１１２）。判断１１２の結果がＹＥＳになるときには、プロッタ６の給紙カセットロック機構を作動して、給紙カセットをロック状態に設定する（処理１１３）。
【００６１】
また、判断１１２の結果がＮＯになるときには、受信した機能ＩＤの内容が「Ｅｘｅｃ＿Ｃｏｖｅｒ＿ｌｏｃｋ」であるかどうかを調べる（判断１１４）。判断１１４の結果がＹＥＳになるときには、外装カバーロック機構を作動して、外装カバーをロック状態に設定する（処理１１５）。
【００６２】
また、判断１１４の結果がＮＯになるときには、受信した機能ＩＤの内容が「ＥｒｒＤｉｓｐ＿Ｍｕｌｔｉｐｌｅ＿ｒｆｉｄ」であるかどうかを調べる（判断１１６）。判断１１６の結果がＹＥＳになるときには、操作表示部７にＲＦＩＤ重複エラーを表示する（処理１１７）。この場合、操作エラーとして、ユーザに操作を許可しない。
【００６３】
また、判断１１６の結果がＮＯになるときには、何もしない。
【００６４】
図１０は、ＲＦＩＤ情報解析サーバ装置ＳＶの処理の一例を示す。
【００６５】
いずれかの端末からの接続要求を検出すると（判断２０１の結果がＹＥＳ）、相手端末よりコマンドを受信し（処理２０２）、受信したコマンドの内容を解析して（処理２０３）、ＩＤが２つ以上含まれているかどうかを調べる（判断２０４）。
【００６６】
判断２０４の結果がＹＥＳになるときには、機能ＩＤ「ＥｒｒＤｉｓｐ＿Ｍｕｌｔｉｐｌｅ＿ｒｆｉｄ」を通知するレスポンスを送信する（処理２０５）。
【００６７】
また、判断２０４の結果がＮＯになるときには、磁気ディスク装置２８に構築したデータベース手段を検索して、対応する機能ＩＤを得る（処理２０６）。そして、処理２０６で得た機能ＩＤを通知するレスポンスを送信する（処理２０７）。
【００６８】
なお、上述した実施例では、ネットワーク複合機ＦＸについて、本発明を適用した場合について説明したが、本発明は、それ以外のネットワーク対応画像形成装置についても、同様にして適用することができる。
【図面の簡単な説明】
【００６９】
【図１】本発明の一実施例にかかるネットワークシステムの一例を示したブロック図。
【図２】ネットワーク複合機ＦＸの構成の一例を示したブロック図。
【図３】ＲＦＩＤ情報解析サーバ装置ＳＶの構成例を示したブロック図。
【図４】ネットワーク複合機ＦＸとＲＦＩＤ情報解析サーバ装置ＳＶとの間の通信の一例を示したタイムチャート。
【図５】機能ＩＤと、ネットワーク複合機ＦＸの実行すべき処理の内容との関係の一例を示した概略図。
【図６】コマンドとレスポンスの一例を示した概略図。
【図７】コマンドとレスポンスの他の例を示した概略図。
【図８】ＲＦＩＤタグのＩＤタグを受信した際のネットワーク複合機ＦＸの処理の一例を示したフローチャート（続く）。
【図９】ＲＦＩＤタグのＩＤタグを受信した際のネットワーク複合機ＦＸの処理の一例を示したフローチャート（図８の続き）。
【図１０】ＲＦＩＤ情報解析サーバ装置ＳＶの処理の一例を示したフローチャート。
【符号の説明】
【００７０】
ＦＸ  ネットワーク複合機
ＳＶ  ＲＦＩＤ情報解析サーバ装置
【図１】
2006165616.tif 000003
【図２】
2006165616.tif 000004
【図３】
2006165616.tif 000005
【図４】
2006165616.tif 000006
【図５】
2006165616.tif 000007
【図６】
2006165616.tif 000008
【図７】
2006165616.tif 000009
【図８】
2006165616.tif 000010
【図９】
2006165616.tif 000011
【図１０】
2006165616.tif 000012